【手続補正書】
【提出日】平成20年8月21日(2008.8.21)
【手続補正１】
【補正対象書類名】明細書
【補正対象項目名】特許請求の範囲
【補正方法】変更
【補正の内容】
【特許請求の範囲】
【請求項１】
コンテンツ鍵：Ｋｃにより暗号化されたコンテンツの利用を行なうユーザデバイスと、
前記コンテンツ鍵：Ｋｃを暗号化した暗号化コンテンツ鍵を格納したコンテンツ利用権限証明書をユーザデバイスに対して配信するサービスプロバイダとを有し、
前記ユーザデバイスは、前記サービスプロバイダから受信したコンテンツ利用権限証明書に格納された暗号化コンテンツ鍵に対するユーザデバイス内の格納鍵を適用した復号化処理、または前記サービスプロバイダにおける復号化処理のいずれかの復号化処理を実行することによりコンテンツ鍵：Ｋｃを取得し、取得したコンテンツ鍵：Ｋｃを適用した暗号化コンテンツの復号化処理を実行してコンテンツを取得する構成を有することを特徴とするコンテンツ利用管理システム。
【請求項２】
前記コンテンツ利用権限証明書には、コンテンツ利用条件が記録され、
前記ユーザデバイスは、前記コンテンツ利用条件を満足するコンテンツ利用であるか否かの判定処理を実行し、前記コンテンツ利用権限証明書に記録されたコンテンツ利用条件を満足するコンテンツ利用であることを条件として、前記コンテンツ利用権限証明書に格納された暗号化コンテンツ鍵についての、ユーザデバイス内の格納鍵を適用した復号化処理を実行する構成であることを特徴とする請求項１に記載のコンテンツ利用管理システム。
【請求項３】
前記コンテンツ利用権限証明書には、コンテンツ利用条件が記録され、
前記サービスプロバイダは、前記コンテンツ利用条件を満足するコンテンツ利用であるか否かの判定処理を実行し、前記コンテンツ利用権限証明書に記録されたコンテンツ利用条件を満足するコンテンツ利用であることを条件として、前記コンテンツ利用権限証明書に格納された暗号化コンテンツ鍵についての復号化処理を実行する構成であることを特徴とする請求項１に記載のコンテンツ利用管理システム。
【請求項４】
前記ユーザデバイス内のメモリには、
前記コンテンツ利用権限証明書に格納された暗号化コンテンツ鍵の復号用の鍵を格納したサービスプロバイダ毎の管理領域が設定登録され、ユーザデバイスは、前記復号用の鍵を適用して、前記コンテンツ利用権限証明書に格納された暗号化コンテンツ鍵の復号化処理を実行してコンテンツ鍵：Ｋｃを取得する構成であることを特徴とする請求項１に記載のコンテンツ利用管理システム。
【請求項５】
前記ユーザデバイス内のメモリには、
前記コンテンツ利用権限証明書に格納された暗号化コンテンツ鍵の復号用の鍵として、サービスプロバイダ対応秘密鍵を格納したサービスプロバイダ毎の管理領域が設定登録され、
前記コンテンツ利用権限証明書に格納された暗号化コンテンツ鍵は、前記サービスプロバイダ対応秘密鍵に対応して生成された公開鍵によって暗号化された暗号化コンテンツ鍵であり、
前記ユーザデバイスは、前記サービスプロバイダ対応秘密鍵を適用して、前記コンテンツ利用権限証明書に格納された暗号化コンテンツ鍵の復号化処理を実行してコンテンツ鍵：Ｋｃを取得する構成であることを特徴とする請求項１に記載のコンテンツ利用管理システム。
【請求項６】
前記ユーザデバイス内のメモリには、
サービスプロバイダとの相互認証に必要な認証処理適用データを格納したサービスプロバイダ毎の管理領域が設定登録され、ユーザデバイスは、前記認証処理適用データを取得してサービスプロバイダとの認証を実行し、前記コンテンツ利用権限証明書を前記サービスプロバイダに送付して、サービスプロバイダによる暗号化コンテンツ鍵の復号化処理によりコンテンツ鍵：Ｋｃを取得する構成であることを特徴とする請求項１に記載のコンテンツ利用管理システム。
【請求項７】
前記コンテンツ利用権限証明書に格納された暗号化コンテンツ鍵は、サービスプロバイダの保有する共通鍵方式の鍵によって暗号化された暗号化コンテンツ鍵であり、
前記サービスプロバイダは、ユーザデバイスから、前記コンテンツ利用権限証明書を受信し、受信したコンテンツ利用権限証明書に格納された暗号化コンテンツ鍵に対して、前記サービスプロバイダの保有する共通鍵方式の鍵を適用した復号化処理を実行することによりコンテンツ鍵：Ｋｃを取得し、取得したコンテンツ鍵：Ｋｃをユーザデバイスに送付する構成であることを特徴とする請求項１に記載のコンテンツ利用管理システム。
【請求項８】
前記コンテンツ利用権限証明書は、コンテンツ利用条件として、
サービスプロバイダにおける利用権限判定処理を必須条件とするオンライン利用処理、または、サービスプロバイダにおける利用権限判定処理を不要とするオフライン利用処理のいずれかを設定したデータを有し、ユーザデバイスはコンテンツ利用に際して、前記コンテンツ利用権限証明書に記録されたコンテンツ利用条件としてのオンライン利用またはオフライン利用を選択的に実行する構成であることを特徴とする請求項１に記載のコンテンツ利用管理システム。
【請求項９】
前記コンテンツ利用権限証明書は、コンテンツ利用条件として、
コンテンツ利用期間を制限した期間制限、コンテンツ利用回数を制限した回数制限、利用制限の無い買い切りのいずれかを設定したデータを有し、ユーザデバイスはコンテンツ利用に際して、前記コンテンツ利用権限証明書に記録されたコンテンツ利用条件としての期間制限、または回数制限、または買い切りに応じて、コンテンツ利用が利用条件を満足するか否かの判定処理を実行し、利用条件を満足することを条件として前記コンテンツ利用権限証明書に格納された暗号化コンテンツ鍵の復号化処理を実行してコンテンツ鍵：Ｋｃを取得する構成であることを特徴とする請求項１に記載のコンテンツ利用管理システム。
【請求項１０】
コンテンツ鍵：Ｋｃにより暗号化されたコンテンツの利用を行なう情報処理装置であり、
前記コンテンツ鍵：Ｋｃを暗号化した暗号化コンテンツ鍵を格納したコンテンツ利用権限証明書をサービスプロバイダから受信し、
受信コンテンツ利用権限証明書に格納された暗号化コンテンツ鍵についての情報処理装置内の格納鍵を適用した復号化処理、または、前記サービスプロバイダに対する前記コンテンツ利用権限証明書の送付による前記サービスプロバイダにおける復号化処理によりコンテンツ鍵：Ｋｃを取得し、取得したコンテンツ鍵：Ｋｃを適用した暗号化コンテンツの復号化処理を実行してコンテンツを取得する構成を有することを特徴とする情報処理装置。
【請求項１１】
前記コンテンツ利用権限証明書には、コンテンツ利用条件が記録され、
前記情報処理装置は、前記コンテンツ利用条件を満足するコンテンツ利用であるか否かの判定処理を実行し、前記コンテンツ利用権限証明書に記録されたコンテンツ利用条件を満足するコンテンツ利用であることを条件として、前記コンテンツ利用権限証明書に格納された暗号化コンテンツ鍵についての情報処理装置内の格納鍵を適用した復号化処理を実行する構成であることを特徴とする請求項１０に記載の情報処理装置。
【請求項１２】
前記情報処理装置内のメモリには、
前記コンテンツ利用権限証明書に格納された暗号化コンテンツ鍵の復号用の鍵を格納したサービスプロバイダ毎の管理領域が設定登録され、
前記情報処理装置は、前記復号用の鍵を適用して、前記コンテンツ利用権限証明書に格納された暗号化コンテンツ鍵の復号化処理を実行してコンテンツ鍵：Ｋｃを取得する構成であることを特徴とする請求項１０に記載の情報処理装置。
【請求項１３】
前記情報処理装置内のメモリには、
前記コンテンツ利用権限証明書に格納された暗号化コンテンツ鍵の復号用の鍵として、サービスプロバイダ対応秘密鍵を格納したサービスプロバイダ毎の管理領域が設定登録され、
前記コンテンツ利用権限証明書に格納された暗号化コンテンツ鍵は、前記サービスプロバイダ対応秘密鍵に対応して生成された公開鍵によって暗号化された暗号化コンテンツ鍵であり、
前記情報処理装置は、前記サービスプロバイダ対応秘密鍵を適用して、前記コンテンツ利用権限証明書に格納された暗号化コンテンツ鍵の復号化処理を実行してコンテンツ鍵：Ｋｃを取得する構成であることを特徴とする請求項１０に記載の情報処理装置。
【請求項１４】
前記情報処理装置内のメモリには、
サービスプロバイダとの相互認証に必要な認証処理適用データを格納したサービスプロバイダ毎の管理領域が設定登録され、
前記情報処理装置は、前記認証処理適用データを取得してサービスプロバイダとの認証を実行し、前記コンテンツ利用権限証明書を前記サービスプロバイダに送付して、サービスプロバイダによる暗号化コンテンツ鍵の復号化処理によりコンテンツ鍵：Ｋｃを取得する構成であることを特徴とする請求項１０に記載の情報処理装置。
【請求項１５】
前記コンテンツ利用権限証明書は、コンテンツ利用条件として、
サービスプロバイダにおける利用権限判定処理を必須条件とするオンライン利用処理、または、サービスプロバイダにおける利用権限判定処理を不要とするオフライン利用処理のいずれかを設定したデータを有し、
前記情報処理装置は、コンテンツ利用に際して、前記コンテンツ利用権限証明書に記録されたコンテンツ利用条件としてのオンライン利用またはオフライン利用を選択的に実行する構成であることを特徴とする請求項１０に記載の情報処理装置。
【請求項１６】
前記コンテンツ利用権限証明書は、コンテンツ利用条件として、
コンテンツ利用期間を制限した期間制限、コンテンツ利用回数を制限した回数制限、利用制限の無い買い切りのいずれかを設定したデータを有し、
前記情報処理装置はコンテンツ利用に際して、前記コンテンツ利用権限証明書に記録されたコンテンツ利用条件としての期間制限、または回数制限、または買い切りに応じて、コンテンツ利用が利用条件を満足するか否かの判定処理を実行し、利用条件を満足することを条件として前記コンテンツ利用権限証明書に格納された暗号化コンテンツ鍵の復号化処理を実行してコンテンツ鍵：Ｋｃを取得する構成であることを特徴とする請求項１０に記載の情報処理装置。
【請求項１７】
前記コンテンツ利用権限証明書は、該コンテンツ利用権限証明書の発行エンティテイの電子署名が付加された構成であり、前記コンテンツ利用権限証明書内の暗号化コンテンツ鍵の復号化処理は、前記電子署名の検証によりデータ改竄のないことの確認を条件として実行する構成であることを特徴とする請求項１０に記載の情報処理装置。
【請求項１８】
前記コンテンツ利用権限証明書は、該コンテンツ利用権限証明書に対応する公開鍵証明書に関するリンク情報を格納した構成であり、前記コンテンツ利用権限証明書内の暗号化コンテンツ鍵の復号化処理は、前記リンク情報によって取得される公開鍵証明書の検証により、該コンテンツ利用権限証明書の正当性確認を条件として実行する構成であることを特徴とする請求項１０に記載の情報処理装置。
【請求項１９】
暗号化コンテンツの復号化処理によるコンテンツ利用の管理を行なうコンテンツ利用管理方法であり、
コンテンツ鍵：Ｋｃにより暗号化されたコンテンツの利用を行なうユーザデバイスと、
前記コンテンツ鍵：Ｋｃを暗号化した暗号化コンテンツ鍵を格納したコンテンツ利用権限証明書をユーザデバイスに対して配信するサービスプロバイダとを有し、
前記ユーザデバイスにおいて、
前記サービスプロバイダからコンテンツ利用権限証明書を受信するステップと、
前記コンテンツ利用権限証明書に格納された暗号化コンテンツ鍵に対するユーザデバイス内の格納鍵を適用した復号化処理、または前記サービスプロバイダにおける復号化処理のいずれかの復号化処理を実行してコンテンツ鍵：Ｋｃを取得するステップと、
取得したコンテンツ鍵：Ｋｃを適用した暗号化コンテンツの復号化処理を実行してコンテンツを取得するステップと、
を有することを特徴とするコンテンツ利用管理方法。
【請求項２０】
暗号化コンテンツの復号化処理によるコンテンツ利用の管理を行なうコンテンツ利用管理処理をコンピュータ・システム上で実行せしめるコンピュータ・プログラムであって、
サービスプロバイダからコンテンツ利用権限証明書を受信するステップと、
前記コンテンツ利用権限証明書に格納された暗号化コンテンツ鍵に対するユーザデバイス内の格納鍵を適用した復号化処理、または前記サービスプロバイダにおける復号化処理のいずれかの復号化処理を実行してコンテンツ鍵：Ｋｃを取得するステップと、
取得したコンテンツ鍵：Ｋｃを適用した暗号化コンテンツの復号化処理を実行してコンテンツを取得するステップと、
を有することを特徴とするコンピュータ・プログラム。
【手続補正２】
【補正対象書類名】明細書
【補正対象項目名】００２４
【補正方法】削除
【補正の内容】
【手続補正３】
【補正対象書類名】明細書
【補正対象項目名】００２５
【補正方法】削除
【補正の内容】
【手続補正４】
【補正対象書類名】明細書
【補正対象項目名】００２６
【補正方法】削除
【補正の内容】
【手続補正５】
【補正対象書類名】明細書
【補正対象項目名】００２７
【補正方法】削除
【補正の内容】
【手続補正６】
【補正対象書類名】明細書
【補正対象項目名】００３８
【補正方法】削除
【補正の内容】
【手続補正７】
【補正対象書類名】明細書
【補正対象項目名】００３９
【補正方法】削除
【補正の内容】
【手続補正８】
【補正対象書類名】明細書
【補正対象項目名】００４０
【補正方法】削除
【補正の内容】
【手続補正９】
【補正対象書類名】明細書
【補正対象項目名】００４１
【補正方法】削除
【補正の内容】
【手続補正１０】
【補正対象書類名】明細書
【補正対象項目名】００４２
【補正方法】削除
【補正の内容】
【手続補正１１】
【補正対象書類名】明細書
【補正対象項目名】００４３
【補正方法】削除
【補正の内容】
【手続補正１２】
【補正対象書類名】明細書
【補正対象項目名】００４４
【補正方法】削除
【補正の内容】
【手続補正１３】
【補正対象書類名】明細書
【補正対象項目名】００４５
【補正方法】削除
【補正の内容】
【手続補正１４】
【補正対象書類名】明細書
【補正対象項目名】００４６
【補正方法】削除
【補正の内容】
【手続補正１５】
【補正対象書類名】明細書
【補正対象項目名】００４７
【補正方法】削除
【補正の内容】